(57)【要約】【課題】新しい客の個人認証を拘束することなく行うことのできる建物内設備の制御システムの提供。【解決手段】建物内に、この建物入り口の客受付窓口（マンション出入り口８１またはホテルフロント９３）で建物内居住者（マンション居住者或いはホテル係員）により利用可と判断された客を非拘束式で登録する非拘束式個人認証手段１を設け、この非拘束式個人認証手段１に登録後は、建物内設備の利用を可能とした構成。【選択図】      図１
2004246482.tif 000002
【特許請求の範囲】
【請求項１】
建物内入り口に、個人認証手段を配備し、この個人認証手段で利用者を検出して建物内設備の利用を可能とした建物内設備の制御システムにおいて、
前記建物内に、前記建物入り口の客受付窓口で建物内居住者により利用可と判断された客を非拘束式で登録する非拘束式個人認証手段を設け、この非拘束式個人認証手段に登録後は、建物内設備の利用を可能としたことを特徴とする建物内設備の制御システム。
【請求項２】
非拘束式個人認証手段として、客受付窓口に配置されるカメラと、このカメラにより撮影された顔情報を建物内居住者が利用可と判断して端末を操作し、利用者として登録する個人認証情報処理システムとで構成したことを特徴とする請求項１記載の建物内設備の制御システム。
【請求項３】
前記受付窓口としてマンションのエントランスとし、このエントランスにカメラを設け、各居住室に前記カメラで撮影した客の顔を映し出す端末を設け、居住者が利用可と判断して端末を操作した時、前記個人認証情報処理システムに登録できるようにしたことを特徴とする請求項２記載の建物内設備の制御システム。
【請求項４】
前記受付窓口としてホテルのフロントとし、このフロントに、カメラとこのカメラで撮影した顔を映し出す端末を設け、フロントの係員が客と判断して端末を操作した時、前記個人認証情報処理システムに登録できるようにしたことを特徴とする請求項２記載の建物内設備の制御システム。
【請求項５】
前記個人認証情報処理システムに、前記端末の操作により客の利用階、来訪居住室等の個人としての属性を登録する属性情報登録手段を備えたことを特徴とする請求項２から請求項４のいずれかに記載の建物内設備の制御システム。
【発明の詳細な説明】
【０００１】
【発明の属する技術分野】
本発明は、建物内の設備を登録された者のみが利用できるようにした建物内設備の制御システムに関する。
【０００２】
【従来の技術】
近時、犯罪の増加に伴いセキュリティを装備したマンションやホテル等が建設されるようになっている。そして、そのセキュリティの方法としては、あらかじめ居住者や客の利用情報を入力したカードを作成して利用者に渡し、これを利用設備例えば自動ドア、エレベータ、居室等の入り口に備えられたカードリーダーで読み取らせて利用可能にするものや、指紋や網膜、声、顔等の事前に登録されている個人情報を個人認証手段で検出して設備を利用できるようにしたものがある。
【０００３】
（例えば、特許文献１、特許文献２参照。）。
【０００４】
【特許文献１】
特開２００１−３０２１１７号公報  （段落番号００２９、図１）
【０００５】
【特許文献２】
実開平５−２６９６７号公報  （段落番号０００７、図２）
【０００６】
【発明が解決しようとする課題】
上記従来技術のものでは、全て事前に作成したり、登録するなどの手段が必要となるため、新規に訪れた客例えばマンション居住者への訪問客、ホテル利用の利用客等の場合、このようなシステムを利用することができなかった。また、利用を図るために、指紋や声等来客に対して、管理人やホテル従業員が指示を与えて登録装置を用いて登録することも可能であるが、客に対し、拘束動作を要求することになり多大の不快感を与えるという問題があった。
【０００７】
本発明はこのような従来技術における実情に鑑みてなされたもので、その目的は、新しい客の個人認証を拘束することなく行うことのできる建物内設備の制御システムを提供することにある。
【０００８】
【課題を解決するための手段】
この目的を達成するために本発明は、建物内入り口に、個人認証手段を配備し、この個人認証手段で利用者を検出して建物内設備の利用を可能とした建物内設備の制御システムにおいて、前記建物内に、前記建物入り口の客受付窓口で建物内居住者により利用可と判断された客を非拘束式で登録する非拘束式個人認証手段を設け、この非拘束式個人認証手段に登録後は、建物内設備の利用を可能としたことを特徴とする。
【０００９】
このように構成した本発明によれば、客を非拘束式で登録する非拘束式個人認証手段に、建物内居住者が利用可と判断して登録するため、客を拘束せずに登録でき、不快感を与えることなく短時間で操作を終えることができる。
【００１０】
【発明の実施の形態】
以下、本発明の建物内設備の制御システムの実施の形態を図に基づいて説明する。
【００１１】
図１は本発明の一実施形態になる建物内設備の制御システムを示すシステム構成図、図２、図３は図１の制御システムをマンションに適用した例を示し、図２はマンションホール部分の平面図、図３は居室部を示す平面図、図４、図５は図１の制御システムをホテルに適用した例を示し、図４はホテルホール部分の平面図、図５は客室部を示す平面図である。
【００１２】
図１において、１は建物内制御システムで、この建物内制御システム１は、複数台のカメラ２と個人認証情報処理システム３と複数台の端末４（ここでは１台の端末のみ図示）とから構成されている。前記個人認証情報処理システム３は、顔情報照合システム３１、前記カメラ２で非拘束に映し出した顔を登録する顔情報登録手段３２、前記端末４の操作で顔情報の登録された人の属性、例えば部屋番号、年齢、性別、一時的居住者等の属性を登録する属性情報登録手段３３、個人総合情報記録手段３４とから構成されている。５はエレベータ制御装置で、かご乗場呼び制御手段５１、かご行き先設定手段５２、その他の制御手段５３とから構成されている。６はエントランスドア制御装置、７は居室ドア制御装置を示している。
【００１３】
次に、前記個人認証情報処理システム１をマンションに適用した例を示す図２、図３を用いて具体的に説明する。
【００１４】
ホール８０に通じるエントランス８１の出入り口ドア８２近傍にはカメラ２１とエントランスドア制御装置６が設けられ、管理人室８３には、個人認証情報処理システム３、端末４、カメラ２５が設けられている。ホール８０には各居室階に通じるエレベータかご８４が設けられており、このエレベータかご８４の乗場にはカメラ２２、エレベータかご８４内にはカメラ２３が設けられ、昇降路８５内にはエレベータ制御装置５が設けられている。居室８６には、端末４、カメラ２４、居室８６への出入り口８７のドア８８を開閉する居室ドア制御装置７が設けられている。
【００１５】
マンションの居住者の場合、居住する全員が管理人室８２に赴く。この時、管理人はカメラ２５で各入居者を拘束することなく撮影すると共に各入居者の属性例えば居室号数、性別等必要な情報を端末４で操作し、これによって、顔登録手段３２に顔が、属性情報登録手段３３に属性が登録され、個人総合情報記憶手段３４に個人認証データが登録される。
【００１６】
客の場合は、客がエントランス８１の出入り口で既存の端末を操作して居室８６に来訪した旨告げると、カメラ２１で撮影された客の顔を端末４で確認し、この客がマンション内に入居して良いと判断した場合、端末を操作して属性情報登録手段３３に必要情報を入力する。例えば、客が一時的居住者であること、或いは時々来訪する方であること自分の部屋に来訪者として訪ねた方であること等を登録する。この端末が操作されると客を拘束することなく顔情報登録手段３２に顔も登録され、個人総合情報記憶手段３４に個人認証データが登録される。
【００１７】
上記のようにして、客の顔が個人総合情報記録手段３４に登録されると、カメラ２１の顔撮影にしたがい、顔情報照合手段３１が作動し、個人総合情報記録手段３４に登録されている個人認証データと照合し、一致した場合は、エントランスドア制御装置６を動作させて出入り口ドア８２を開放する。ホール８０に設けられたカメラ２２が顔を撮影した場合は、エレベータ制御装置５のかご呼び制御手段５１を操作してエレベータかご８４をホール８０まで呼び、更に、エレベータかご８４内のカメラ２３が顔を撮影した場合には、カメラ２３で撮影された顔を個人総合情報記憶手段３４と照合し、この顔の人が５階へ行く方であると判断した場合、かご行き先設定手段５２を操作して行き先階を自動的に５階を設定する。他の階に用事がある場合は、通常通り行き先階を操作する。居室の前に立ち、カメラ２４が顔を撮影し、顔情報照合手段３１が個人総合情報記憶手段３４と照合して居住者が入居を認めた客であることを確認した場合、居室ドア制御装置７が操作されドア８８が自動的に開かれる。
【００１８】
このように、客は、拘束されずに登録され特別の操作なしに目的の居住者宅まで来ることができ、不快感を味わうことない。また、登録する居住者も端末４の操作だけであるため、短時間の内に操作を終えることができる。なお、事前に管理人室で登録されている居住者はその後の登録なしに同一のサービスを受けることができるのは言うまでもない。
【００１９】
次に、前記個人認証情報処理システム１をホテルに適用した例を示す図４、図５を用いて具体的に説明する。
【００２０】
ホール９０に通じるエントランス９１の出入り口ドア９２近傍にはカメラ２１とエントランスドア制御装置６、音声応答装置９９が設けられ、フロント９３には、個人認証情報処理システム３、端末４、カメラ２５が設けられている。ホール９０には各客室階に通じるエレベータかご９４が設けられており、このエレベータかご９４の乗場にはカメラ２２、エレベータかご９４内にはカメラ２３が設けられ、昇降路９５内にはエレベータ制御装置５が設けられている。客室９６には、カメラ２４、居室９６への出入り口９７のドア９８を開閉する居室ドア制御装置７が設けられている。
【００２１】
ホテル客が出入り口エントランスに立つとカメラ２１が作動し、顔情報照合手段３１が個人総合情報記憶手段３４と照合し、顔が登録されていない場合、新規顧客であることをフロント９３の端末４に表示する。係員はボタン操作により又はカメラ２１の信号によりエントランスドア制御装置６を操作してドア９２は開放される。客がフロント９３に来て係員の前に立つとカメラ２５で顔が撮影される。この時、係員は端末４を操作して客の属性例えば客室番号、性別等必要な情報を入力する。これによって、何等客を拘束することなく顔登録手段３２に顔が、属性情報登録手段３３に属性が登録され、個人総合情報記憶手段３４に個人認証データが登録される。
【００２２】
このようにして、客の顔が個人総合情報記録手段３４に登録されると、ホール９０に設けられたカメラ２２が顔を撮影した場合は、顔情報照合手段３１が個人総合情報記憶手段３４と照合し、エレベータ制御装置５のかご呼び制御手段５１を操作してエレベータかご９４をホール９０まで呼び、更に、エレベータかご９４内のカメラ２３が顔を撮影した場合には、カメラ２３で撮影された顔を個人総合情報記憶手段３４と照合し、この顔の人が１０階へ行く客であると判断した場合、かご行き先設定手段５２を操作して行き先階を自動的に１０階を設定する。他の階に用事がある場合は、通常通り行き先階を操作する。客が客室９６の前に立ち、カメラ２４が顔を撮影し、顔情報照合手段３１が個人総合情報記憶手段３４と照合してこの客室９６の利用者であることを確認した場合、客室ドア制御装置７が操作されドア９８が自動的に開かれる。また、外出してエントランスの出入り口９１に立った場合、登録済みであるため、カメラ２１で撮影した顔を、顔情報照合手段３１、個人情報記憶手段３５で照合することができ、エントランスドア制御装置６が操作され自動的にドア９２が開放される。この時、戻ってきた客に音声応答装置９９によって「お帰りなさい」等の挨拶をさせる。同様に、再度ホテルを利用する客である場合は、フロント９３の端末４に客の氏名や利用した日時などを表示させ必要な対応を行わせることができる。
【００２３】
このように、利用客は、拘束されずに登録され特別の操作なしに目的の客室まで行くことができ、不快感を味わうことがない。また、登録する係員も端末４の操作だけであるため、短時間の内に操作を終えることができる。なお、事前に登録されているホテル従業員等はその後の登録なしに同一のサービスを受けることができる。
【００２４】
なお、この例では、マンションとホテルに用いた例を説明したが、事務所ビル等にも適用できることはいうまでもない。
【００２５】
また、非拘束式個人認証手段として、カメラと顔情報を用いた個人認証情報処理システムを例として示したが非拘束で個人認証できるものであるならこの例に限定されるものではない。
【００２６】
【発明の効果】
本発明によれば、来客（利用客）を非拘束式で登録する非拘束式個人認証手段に、建物内居住者（係員）が利用可と判断して登録するため、来客（利用客）を拘束せずに登録でき、不快感を与えることなく短時間で操作を終えることができる。
【図面の簡単な説明】
【図１】本発明の一実施形態になる建物内設備の制御システムを示すシステム構成図である。
【図２】図１の制御システムをマンションに適用した例を示すマンションホール部分の平面図である。
【図３】図１の制御システムをマンションに適用した例を示すマンションホール居室部を示す平面図である。
【図４】図１の制御システムをホテルに適用した例を示すホール部分の平面図である。
【図５】図１の制御システムをホテルに適用した例を示す客室部の平面図である。
【符号の説明】
１      建物内制御システム
２      カメラ
３      個人認証情報処理システム
４      端末
５      エレベータ制御装置
６      エントランスドア制御装置
７      居室ドア制御装置
３１    顔情報照合システム
３２    顔情報登録手段
３３    属性情報登録手段
３４    個人総合情報記録手段
５１    かご乗場呼び制御手段
５２    かご行き先設定手段
５３    その他の制御手段
８０    マンションホール
８１    マンションエントランス
８５    マンション居室
９０    ホテルホール
９１    ホテルエントランス
９３    フロント
９６    客室
【図１】
2004246482.tif 000003
【図２】
2004246482.tif 000004
【図３】
2004246482.tif 000005
【図４】
2004246482.tif 000006
【図５】
2004246482.tif 000007